(57)【要約】  【課題】使用者の好みにマッチングできる椅子を提供する。  【手段】合成樹脂より成るシェル状の背板１４を備えた椅子において、背板１４は、背当て部１５と腰当て部１６とが一体に連続した形態になっている。背当て部１５と腰当て部１６とには、別々のクッション体１８，１９がそれぞれ着脱自在に取り付け可能になっている。腰当て部１６のみにクッション体１９を設けることによってランバーサポート効果を発揮したり、背当て部１５と腰当て部１６との両方にクッション体１８，１９を取付けることによってロッキング時の安楽性を向上したりできる。背板１４が複雑な形状であっても、クッション体を簡単に張ることができる。【選択図】      図４
2006204801.tif 000002
【特許請求の範囲】
【請求項１】
座と背もたれとを備えており、前記背もたれは、着座した人が凭れ掛かることによって生じる背もたれ荷重を支える背板を備えており、この背板の前面にクッション体を配置しているか又は配置可能になっている椅子であって、
前記背板の前面を複数のエリアに区画し、各エリアの各々に、他のエリアのクッション体とは別体に構成されたクッション体を着脱し得るクッション体保持部を形成しており、少なくとも１つのエリアにクッション体を取付けているか、又は、任意のエリアにクッション体を後付けにて取付け可能になっている、
椅子。
【請求項２】
前記背板は、着座した人の背中を支持する背当て部と着座した人の腰部を支持する腰当て部とが上下に一体に連続した構造であり、腰当て部は前向き凸状の側断面形状である一方、背当て部は側面視で後傾した状態で腰当て部に連続しており、腰当て部の全体を１つのエリアとなし、背当て部は全体として１つのエリアと成すか又は上下に隣合った複数段のエリアと成し、各エリアには、それぞれ個別のクッション体を着脱し得るクッション体保持部が形成されている、
請求項１に記載した椅子。
【請求項３】
請求項１又は２に記載した椅子の背もたれに使用するクッション体であって、  樹脂製の基板にクッション層を重ねると共にクッション層は表皮材で覆ってなり、更に、前記基板に、背板への取付け部を形成している、
椅子の背もたれに使用するクッション体。
【発明の詳細な説明】
【技術分野】
【０００１】
本発明は、背もたれを備えた椅子に関するものである。
【背景技術】
【０００２】
椅子の背もたれにおいて、着座した人が凭れ掛かることによって生じる背もたれ荷重を合成樹脂製や合板製等の背板で支える構造の場合、背板の前面にウレタンフォーム等の軟質材よりなるクッション体を張っていることが多い。
【０００３】
そして、一般に、クッション体は単一構造になっており、背板の前面全体がクッション体で覆われていることが殆どである。また、クッション体を背板に取付ける方法としては、背板の前面に接着したり、表材の周囲に縫着した紐や線材で縛り固定したりしている。
【０００４】
他方、特許文献１や特許文献２には、着座者の背中を部分的に押圧する圧迫部材（押圧突起）を背板の任意の箇所に取付けることが記載されているが、これら圧迫部材は人が安楽状態を得るためのクッション体とは言い難い。
【特許文献１】特開２０００−２７０９６３号公報
【特許文献１】特開２００１−５７９２１号公報
【発明の開示】
【発明が解決しようとする課題】
【０００５】
椅子を使用するに際してのユーザーの好みはまちまちであり、例えば腰部を集中的に支持することを好む人もいるし、逆に、背中を強く支持することを好む人がいるが、従来のようにクッション体が単一構造であると、好みによって強く支持する部位を変更するには別にランバーサポートを設けなければならないため、それだけコストが嵩むという問題がある。
【０００６】
また、クッション体の表面の色は単一になるため、デザインの自由性が低いという問題や、複雑な形状の背板には対応できないという問題があった。
【０００７】
本願発明は、このような現状を改善することを課題とするものである。
【課題を解決するための手段】
【０００８】
前記課題を解決するため請求項１の発明は、座と背もたれとを備えており、前記背もたれは、着座した人が凭れ掛かることによって生じる背もたれ荷重を支える背板を備えており、この背板の前面にクッション体を配置しているか又は配置可能になっている椅子において、前記背板の前面を複数のエリアに区画し、各エリアの各々に、他のエリアのクッション体とは別体に構成されたクッション体を着脱し得るクッション体保持部を形成しており、少なくとも１つのエリアにクッション体を取付けているか、又は、任意のエリアにクッション体を後付けにて取付け可能になっている。
【０００９】
また、請求項２の発明では、前記背板は、着座した人の背中を支持する背当て部と着座した人の腰部を支持する腰当て部とが上下に一体に連続した構造であり、腰当て部は前向き凸状の側断面形状である一方、背当て部は側面視で後傾した状態で腰当て部に連続しており、腰当て部の全体を１つのエリアとなし、その上方の部分を全体として１つのエリアと成すか又は上下に隣合った複数段のエリアと成し、各エリアには、それぞれ個別のクッション体を着脱し得るクッション体保持部が形成されている。
【００１０】
本願発明は、請求項１又は２に記載した椅子の背もたれに使用するクッション体も含んでおり、このクッション体は、樹脂製の基板にクッション層を重ねると共にクッション層は表皮材で覆ってなり、更に、前記基板に、背板への取付け部を形成している。
【発明の効果】
【００１１】
本願発明によると、クッション体が背板の各エリアごとに分離しているため、特定のエリアだけにクッション体を取付けたり、全てのエリアにクッション体を取付けたり、或いは、全てのエリアにクッション体を取付けるにおいて各クッション体の色や材質等の特性を変えるなどすることができる。このため、ユーザーは好みに応じて使い分けることができる。
【００１２】
また、複雑な形状の背板にもクッション体を簡単に取付けることができる。すなわち、背板が複雑な形状（正面形状）であっても、個々のクッション体が単純な形状で良いことにより、個々のクッション体の製造（特に表皮材の張り加工）を容易に行うことができるのであり、結果として、背板へのクッション体の張り加工（取付け加工）を簡単に行えるのである。
【００１３】
また、ユーザーがクッション体のみ購入して後付けしたり交換したりすることも可能となる。更に、着脱式であることにより、クッション体を備えていないものを基本仕様として製造することによってコストダウンを図り、かつ、これにオプションでクッション体を取付けることによってユーザーの要望に応えることができる。
【００１４】
請求項２のように構成すると、腰当て部用のクッション体と背当て部用のクッション体とが上下に分離するため、例えば腰当て部のみにクッション体を設けることによって高いランバーサポート機能を確保したり、或いは、背当て部用のクッション体よりも腰当て部用のクッション体の厚さを厚くすることによって全体のクッション製を確保しつつランバーサポート機能を発揮させたりというように、腰部（骨盤及び腰椎）と背部とのサポート態様をユーザーの好みに応じて変えることを簡単に行える。
【００１５】
クッション作用を発揮する素材としてはウレタンフォームやスポンジ材のような軟質多孔材が多用されているが、これらは剛性を持たないため、背板への着脱方式とするにはそのままでは扱いにくい。この点、請求項３のように構成すると、樹脂製の基板を利用して背板に簡単に取付けることができる。
【発明を実施するための最良の形態】
【００１６】
(1).第１実施形態（図１〜図４）
次に、本願発明の実施形態を図面に基づいて説明する。先ず、図１〜図４に元付いて第１実施形態を説明する。図１は椅子の正面図、図２のうち（Ａ）は平面図、（Ｂ）は左側面図、図３のうち（Ａ）は背面図、（Ｂ）〜（Ｄ）は（Ａ）のＢ−Ｂ、Ｃ−Ｃ、Ｄ−Ｄの矢視線で切断した断面図、図４のうち（Ａ）は図２のIVA-IVA 視断面図、（Ｂ）は（Ａ）の部分拡大図、（Ｃ）は（Ｂ）のＣ−Ｃ視図、（Ｄ）は（Ｂ）のＤ−Ｄ方向から見た図である。
【００１７】
椅子は、脚１と座２と背もたれ３、左右一対の肘掛け装置４とを備えている。脚１は、伸縮自在なガスシリンダから成る脚支柱５とこの脚支柱５から放射状に延びる複数本（５本）の枝足６とを備えており、各枝足６の先端にはキャスター７を設けている。
【００１８】
脚支柱５の上端には座受けベース８が取付けられており、この座受けベース８の上面に座受けシェル９が固着されており、この座受けシェル９に座が取付けられている。座受けベース８の左側面からは、背もたれ３を後傾動可能な状態と後傾動不能な状態とに切り換えるためのロックレバー１０が露出しており、また、座受けベース８の前面からは、座２の高さ調節を行うための昇降レバー１１が露出している。
【００１９】
背もたれ３は、背受け機構１２を介して座受けベース８にロッキング自在に取付けられている。背受け機構１２は、背もたれ３と座受けベース８とに連結された背受けフレームと、背もたれ３の後傾動を弾性的に支持するばねユニットとを備えているが、本願発明との直接の関連はないので説明は省略する。
【００２０】
背もたれ３は、その主要メンバーである合成樹脂製の背板１４を備えている。背板１４は、着座した人の背中を支持する背当て部１５と着座した人の腰部を支持する腰当て部１６とが上下に連続した形態に形成されており、更に、腰当て部１６には座２よりも下方に延びる取付け部１７が一体に連続している。図３に示すように、取付け部１７は背面視下向き凸で丸みを帯びた山形に形成されている。背当て部１５と腰当て部１６との前面には、互いに分離したクッション１８，１９を配置している。
【００２１】
背もたれ３の背当て部１５はその上部が最も広巾で下方に向けて横幅が小さくなる略逆台形状に形成されている一方、腰当て部１６は正面視で略楕円状に形成されており、このため、背当て部１５と腰当て部１６との境界部は、正面視で滑らかなカーブを描いたくびれ部３ａになっている。
【００２２】
また、腰当て部１６の左右端部は背当て部１５よりも手前に張り出した前向き張り出し部１６ａになっている。前向き張り出し部１６ａは側面視で前向き凸の山形に形成されており、全体として丸みを帯びている。また、図３（Ｂ）に示すように、前向き張り出し部１６ａは他の部分よりも遥かに厚肉に形成されている。背当て部１５及び腰当て部１６の正面視における最大横幅は座２の左右横幅と殆ど同じ寸法に設定されている。
【００２３】
図３（Ｂ）（Ｃ）（Ｄ）に示すように、背板１４はその全長にわたって前向き凹状に凹んでいるが、凹みの程度は腰当て部１６の箇所において最も大きく、上方に行くに従って平坦に近い状態になっている（上端部を平坦に形成してもよい）。また、例えば図４（Ａ）に示すように、背板１４は腰当て部の箇所を頂点にして前向き凸状に形成されてきるが、この場合、腰当て部１６は側断面が湾曲しているのに対して、背当て部１５はの側断面形状はフラットに近い形状になっている。
【００２４】
そして、腰当て部１６は平断面及び側断面で湾曲していることと、前向き張り出し部１６ａが厚肉であることとにより、着座者の荷重が作用しても基本的には変形しない剛体構造になっている。このため、着座した人の腰部を的確にサポートして、着座した人は高い安定性を得ることができる。
【００２５】
他方、背当て部１５は厚さが全体にわたって略等しいことと、側断面形状は略フラットであることと、平断面視での凹みの程度が上部に行くに従って小さくなっていることとにより、着座者の背もたれ荷重によって撓み変形することが許容されており、これにより、ロッキング時のクッション性を助長できる。
【００２６】
背板１４の上端には、衣服を掛けることのできるハンガー２０がねじ止めによって着脱自在に取付けられている。
【００２７】
背板１４へのクッション体１８，１９の取付には、ファスナーの一種として図４に示したクリップ部材２１を使用している。このクリップ部材２１は、軸２２の一端部には円形の頭２３を他端部には鉤部２４を形成しており、鉤部２４は軸２２と同じ程度の巾寸法であり、軸２２と鉤部２４とでＴ字状の形態を成している。頭２３の頂面にドライバやコインで回転操作するための係合溝２５を形成している。
【００２８】
他方、クッション体１８，１９は、樹脂製の基板２６にクッション層２７を張ると共にクッション層２７を表皮材（図示せず）で覆った構造であり、基板２６に、クリップ部材２１の鉤部２４が嵌まる長穴２８と、鉤部２４が回転することを許容する凹所２９とを形成している。背板１４にも、クリップ部材２１の鉤部２４が嵌まる係合部の一例として長穴（係合穴）３０を形成している。本実施形態では、この長穴３０が背板１４に設けたクッション体保持部に該当し、また、クッション体１８，１９では、長穴２８と凹所２９とが取付け部に該当する。
【００２９】
図から理解できるように、クリップ部材２１の鉤部２４を基板２６の長穴２８に挿入してからクリップ部材２１を回転すると、鉤部２４が基板２６における凹所２９の底面に摩擦を持って当接し、これにより、クッション体１８，１９は離脱不能に保持される。なお、上クッション体１８を取付けるクリップ部材２１は上クッション体１８の左右両側部に設けられているが、便宜的に、縦断側面図である図４（Ａ）に表示しているまた、図４（Ａ）では下クッション体１９を取付けるためのクリップ部材２１は省略している。
【００３０】
本実施形態では、上クッション体１８はその上下２箇所がクリップ体２１で背板１２に固定されており、下クッション体１９は，その左右２カ所がクリップ部材２１で背板１２に固定されている。
【００３１】
クッション体１８，１９の取付け手段はクリップ部材２１を使用することには限らず、他の様々の手段を採用できる。例えば、基板２６にクリップ式の爪を形成し、この爪を背板１４に設けた穴に弾性変形させて嵌め込むという方法や、両面粘着テープによる取付け、面ファスナーを使用した取付け、或いはねじ止めなどが挙げられる。
【００３２】
以上の構成において、背当て部１５と腰当て部１６とに別々のクッション体を着脱自在に取付け得る構成にすると、くびれ部３ａを備えている背板１４でありながらクッション体１５，１６の取付けを至極簡単に行うことができ、また、上下のクッション体１８，１９の色を変えることによって見た目を変えることもできる。腰当て部１６に設けるクッション体１９はランバーサポートの機能を兼備し得るものであるが、前後高さの異なるものを複数種類用意しておいて、使用者の好みによって選択するといったことも可能である。
【００３３】
更に、クッション体を腰当て部１６のみ又は背当て部１５のみに設けるというように、使用者の好みによってクッション体の取付けを選択することも可能である。
【００３４】
クッション体は上下２つに分離することには限らず、上下３段以上に分離しても良いし、或いは、背当て部１５のエリアのみで左右２つのクッション体に分離し、腰当て部１６のエリアでは１つのクッション体１９を使用するということも可能である。本願発明の特徴の１つは、複数のクッション体によって背板１４の広い範囲（全体を含む）をクッション体でカバーし得るということであり、これにより、単一構造のクッション体を張った場合と同様の安楽状態を確保できるのである。
【００３５】
(2).変形例
図５では変形例を示している。（Ａ）は第１変形例の背面図、（Ｂ）はハンガー２０を取り外した状態での正面図である。この実施形態は、背板１４に多数のスリット３１を形成した点に特徴がある。この例では、背当て部１５の上部にスリット３１の群が同心円を描くように多数形成されている。このスリット３１の群の存在により、背当て部１４はより撓み変形しやすくなる。
【００３６】
この実施形態でもクリップ部材２１を使用してクッション体１８、１９の取付けが行われる。そして、特定のスリット３１が請求項に記載した係合手段を兼用している。
【００３７】
(3).他の例
図６では更に他の実施形態を示している。このうち（Ａ）に示す例では、腰部用クッション体１９の凹みの曲率を腰当て部１６の凹みの曲率よりも大きくすると共に、両端支持の状態で腰用クッション体１９を腰当て部１６に取付けている。この例では、腰用クッション体１９が後方に沈むように延び変形することにより、クッション性をより向上できると推測される。
【００３８】
（Ｂ）に示す例では、腰用クッション体１９をその左右中間部において背板１４の腰当て部１６に取付けて、腰用クッション体１９が延び変形することを許容している。更に（Ｃ）に示す例は本質的には（Ａ）と同じであるが、腰用クッション体１９の前面を平面視で平坦状に形成している。
【００３９】
（Ｄ）に示す例では、基板２６に設けた左右一対の足２６ａを腰当て部１６に当接することにより、腰用クッション体１９はその左右中間部のある程度の範囲は変形しない状態に保持されており、腰用クッション体１９は左右両端寄り部位は後方に曲がり変形するように形成している。
【００４０】
これら（Ａ）〜（Ｄ）から容易に理解できるように、腰用クッション体１９（と及び背用クッション体１８）は、背板１４との異なる平断面形状に形成することにより、背もたれ荷重によって撓み変形することを許容させても良いのである。
【００４１】
（Ｅ）〜（Ｈ）に示す実施形態は、クッション体１８，１９の取付け手段の別例である。（Ｅ）は背板１４に形成した係合穴３３の正面図，（Ｆ）は（Ｅ）のＦ−Ｆ視断面図、（Ｇ）はクッション体１８，１９の基板２６に一体成形した係合突起３４の正面図、（Ｈ）は（Ｇ）のＨ−Ｈ視断面図である。
【００４２】
この実施形態では、係合穴３３は細巾部３３ａを有する鍵穴状に形成されている一方、係合突起３４は、板状部３４ａに頭３４ｂを一体成形した形態になっており、頭３４ｂを係合穴３３に嵌め込んでから下方にずらした板状部３４ａを係合穴３３の細巾部３３ａに落とし込むことにより、クッション体１８，１９は背板１４に離脱不能に保持される。この実施形態では、係合穴３３が請求項に記載した係合手段に該当し、係合突起３３が請求項に記載した取付け部に該当する。言うまでもないが、この例では別体の締結具は不要である。
【００４３】
(4).その他
本願発明は、上記の実施形態の他にも様々に具体化することができる。例えば、エリアの区分の仕方は上下に分けることには限らず、左右に分離すること可能である。また、本願発明は事務用回転椅子のみでなく、会議室用のパイプ椅子など各種の椅子に適用できる。
【図面の簡単な説明】
【００４４】
【図１】本願発明の実施形態に係る椅子の椅子の正面図である。
【図２】(A)は椅子の平面図、 (B)は左側面図である。
【図３】(A)は椅子の背面図、 (B)〜 (D)は (A)の断面図である。
【図４】(A)は図３（Ａ）の縦断側面図、 (B)〜 (D)はクッション体の取付け手段を示す図である。
【図５】変形例を示す図である。
【図６】他の実施形態を示す図である。
【符号の説明】
【００４５】
３  背もたれ
３ａ  くびれ部
１４  背板
１５  背当て部
１６  腰当て部
１６ａ  腰当て部の前向き張り出し部
１８  上クッション体
１９  下クッション体
２６  クッション体の基板
２７  クッション体のクッション層
２１  クリップ部材
【図１】
2006204801.tif 000003
【図２】
2006204801.tif 000004
【図３】
2006204801.tif 000005
【図４】
2006204801.tif 000006
【図５】
2006204801.tif 000007
【図６】
2006204801.tif 000008